(57)【要約】本発明は、特に自動車両コンプレッサ用の電気モータと、モータの供給ユニットとの間の電気接続装置に関する。この装置は、接続プラグ６２を含み、前記接続プラグ６２が、前記接続プラグ６２と、前記供給ユニット５のコネクタ５２との間の機械的接触及び電気接続による前記供給ユニットに対する前記モータのブラインド取付を可能にするように構成された可撓性金属シートから形成される装置。【選択図】図５
2018528741.tif 000002
【特許請求の範囲】
【請求項１】
特に自動車両コンプレッサ用の電気モータ（３）と、前記モータ（３）の供給ユニット（５）との間の電気接続装置であって、接続プラグ（６２）を含み、前記接続プラグ（６２）が、前記接続プラグ（６２）と、前記供給ユニット（５）のコネクタ（５２）との間の機械的接触及び電気接続による前記供給ユニット（５）に対する前記モータのブラインド取付を可能にするように構成された可撓性金属シートから形成される装置。
【請求項２】
前記モータ（３）の幾つかの巻線（４２）に電気的に接続されることを目的とする導体（６４）を含み、かつ前記接続プラグ（６２）が、前記導体（６４）に電気的に接続される請求項１に記載の装置。
【請求項３】
前記導体（６４）が、リング形状で金属シートからなる請求項２に記載の装置。
【請求項４】
前記金属シートが、実質的に長方形の断面を有し、前記金属シートの断面の大きい側が、取付後に前記モータ（３）のロータ（３２）の長手方向軸に沿って配向されることを目的とする請求項３に記載の装置。
【請求項５】
前記導体（６４）に電気的に接続されたピン（６６）を含み、前記ピン（６６）の各々が、前記モータ（３）の前記巻線（４２）の１つに接続されることを目的とする請求項２又は３に記載の装置。
【請求項６】
前記接続プラグ（６２ａ、６２ｂ及び６２ｃ）と各々結合された、複数の前記導体（６４ａ、６４ｂ及び６４ｃ）を含む請求項２から４のいずれかに記載の装置。
【請求項７】
前記導体（６４ａ、６４ｂ及び６４ｃ）が、同心状に配置される請求項６に記載の装置。
【請求項８】
前記接続プラグ（６２ａ、６２ｂ及び６２ｃ）が、ある導体（６４ａ、６４ｂ及び６４ｃ）から次の導体まで角度オフセットされる請求項６又は７に記載の装置。
【請求項９】
前記導体（単数又は複数）（６４）及び前記接続プラグ（単数又は複数）（６２）は、単一のアセンブリを形成するために、オーバーモールドされる請求項２から８のいずれかに記載の装置。
【請求項１０】
前記接続プラグ（６２）が、前記供給ユニット（５）のコネクタ（５２）に接触する接触部（７０）と、前記装置及び前記供給ユニット（５）の間に可撓性を持って確立される機械的接触を提供するように構成された接続部（７２）とを含む請求項１から９のいずれかに記載の装置。
【請求項１１】
前記接触部（７０）は、前記機械的接触が並進運動によって確立できるように構成される請求項１０に記載の装置。
【請求項１２】
前記接触部（７０）は、回転運動がその後に続く並進運動での取付を可能にするように構成される請求項１０に記載の装置。
【請求項１３】
前記接触部（７０）が、並進運動において前記供給ユニット（５）の前記コネクタ（５２）を係合するハウジング（７５）を含み、かつ前記接触部が、前記供給ユニット（５）の前記コネクタ（５２）を固定するハウジング（７６）を含み、前記係合ハウジング（７５）及び前記固定ハウジング（７６）は、互いに連通し、前記供給ユニット（５）の前記コネクタ（５２）が、回転運動によって一方から他方に通過できるようにする請求項１２に記載の装置。
【請求項１４】
前記固定ハウジング（７６）が、前記供給ユニット（５）の前記コネクタ（５２）との多点接触を可能にするように構成された凹部領域（８０）を含む請求項１３に記載の装置。
【請求項１５】
請求項１から１４のいずれかに記載の接続装置と、モータの供給ユニットとを備えたモータのアセンブリ。
【発明の詳細な説明】
【技術分野】
【０００１】  本発明は、電気モータと、前記モータの供給ユニットとの間の電気接続装置に関する。本発明は、前記装置を備えたモータと、前記モータ及びその供給ユニットから形成されるアセンブリにも関する。本発明は、例えば車両空調回路内で冷媒を循環させるためのコンプレッサ、とりわけ電気コンプレッサの分野に特に応用できる。
【背景技術】
【０００２】  従来、電気コンプレッサは、冷媒を空調回路内で加圧するために、電気モータによって駆動される圧縮機構を含む。電気モータに供給するために、コンプレッサは、利用可能な電流をコンプレッサのモータに適した電流に変換するインバータを更に含む。例えば、インバータは、直流を三相交流に変換することが可能である。
【発明の概要】
【発明が解決しようとする課題】
【０００３】  モータとインバータとの間で電気接続を確立するために、有線アセンブリに基づく種々の解決策が提案された。しかしながら、かかる解決策は、低電圧、高アンペア数供給電流に適応することが困難である。実際にかかるシナリオにおいて、大きな断面積を有するワイヤを使用することが必要であり、モータをインバータに対して簡単に組み立てられるようにするコネクタを使用することを不可能にする。
【課題を解決するための手段】
【０００４】  本発明は、上述の不都合を克服することを提案し、かつこの目的のために、特に自動車両コンプレッサ用の電気モータと、前記モータの供給ユニットとの間の電気接続装置に関し、前記装置は、接続プラグを含み、接続プラグは、前記接続プラグと、前記供給ユニットのコネクタとの間の機械的接触及び電気接続による供給ユニットに対するモータのブラインド取付を可能にするように構成された可撓性金属シートから形成される。【０００５】  金属シート内に形成された導体を使用することにより、限られた空間で大きな断面積を有する接続プラグを提供することが可能である。その上、前記接続プラグは、ブラインド取付を可能にするように形成できる。その上、前記プラグの小さい空間の要件のために、負荷損は、自動車両用の電気コンプレッサの場合と同様に、モータの周りを循環する流体の場合に限定される。金属シートの可撓性は、効果的に振動に耐えることが可能な解決策も提供する。【０００６】  一緒に又は個別に用いられ得る、本発明の追加の特徴によれば、
−  前記装置は、モータの幾つかの巻線に電気的に接続されることを目的とする導体を含み、
−  前記接続プラグは、前記導体に電気的に接続され、
−  前記導体は、金属シートによって構成され、
−  前記金属シートは、リング形状であり、
−  前記金属シートは、実質的に長方形の断面を有し、
−  前記装置は、前記金属シートの断面の大きい側が、取付後に前記モータのロータの長手方向軸に沿って配向されることを目的とするように構成され、
−  前記装置は、前記導体に電気的に接続されたピンを含み、前記ピンの各々は、モータの巻線の１つに接続されることを目的とし、
−  前記ピンは、Ｌ字形であり、取付後に、Ｌのアームの一方は、径方向に配向され、かつＬのアームの他方は、前記モータのロータの前記長手方向軸に沿って配向されることを目的とし、
−  前記装置は、前記接続プラグと各々結合された、複数の前記導体を含み、
−  前記導体は、同心状に配置され、
−  前記接続プラグは、ある導体から次の導体まで角度オフセットされ、
−  前記接続プラグは、９０°未満、又は実際には４５°未満、又は更には３０°未満の同じ角度区域内に位置し、
−  接続プラグは、異なる角度配向を有し、
−  前記コネクタ（単数又は複数）及び前記接続プラグ（単数又は複数）は、単一のアセンブリを形成するために、特に電気絶縁材料によってオーバーモールドされ、
−  前記接続プラグは、供給ユニットのコネクタに接触する接触部と、前記装置及び前記供給ユニットの間に可撓性を持って確立される機械的接触を提供するように構成された接続部とを含み、
−  前記接続部は、Ｕ字形領域を含み、
−  前記接触部は、前記機械的接触が前記モータのロータの長手方向軸に沿った並進運動によって確立できるように構成され、
−  前記接触部は、前記接続ユニットのコネクタと当接して接触することを目的とする端部を含み、
−  前記接触部は、前記接続ユニットのコネクタの側壁と接触することを目的とする１つ以上の側面を含み、
−  前記側面は、前記接触部の湾曲領域に位置し、
−  前記接触部は、回転運動がその後に続く並進運動での取付を可能にするように構成され、
−  前記接触部は、前記モータのロータの長手方向軸に沿った並進運動において供給ユニットのコネクタを係合するハウジングを含み、
−  前記接触部は、供給ユニットのコネクタを固定するハウジングを含み、
−  前記係合ハウジング及び前記固定ハウジングは、互いに連通し、供給ユニットのコネクタが、前記モータのロータの長手方向軸の周りの回転運動によって一方から他方に通過できるようにし、
−  前記接触ハウジングは、前記供給ユニットのコネクタとの多点接触を可能にするように構成された凹部領域を含む。【０００７】  本発明は、以上に記載したような接続装置を備えたモータと、前記モータ及びその供給ユニットから形成されるアセンブリにも関する。【０００８】  一緒に又は個別に用いられ得る、追加の特徴によれば、
−  前記コネクタは、接続プラグによって構成され、
−  供給ユニットの前記接続プラグは、第１金属材料から作られたコアと、第２金属材料から作られたスキンとを含み、
−  前記第１材料は、銅である。【０００９】  本発明の一態様によれば、前記アセンブリは、電気圧縮装置を形成するように、前記モータによって駆動されるコンプレッサを更に含む。【００１０】  本発明は、添付図を参照して、純粋に非限定的な例として提供される、以下に続く記載を読めばより明瞭に理解されるであろう。
【図面の簡単な説明】
【００１１】
【図１】本発明による圧縮装置の縦断面図である。
【図２】モータがその供給ユニットに対して組み立てられた位置における、図１の圧縮装置のモータの一部及び接続装置の横断面図である。
【図３】組み立てられた位置における図２と同じ図を示す。
【図４】図３と同じ図を斜視図で示す。
【図５】前図の接続装置の導体及び接続プラグを軸方向の図において、かつ平坦化後に概略的に示す。
【図６】本発明による接続装置の接続プラグの実施態様の縦断面図を示す。
【発明を実施するための形態】
【００１２】  図１に示すように、本発明は、圧縮装置に関する。図１は従って、シャフトの端部が圧縮システムを駆動することを少なくとも概略的に示す必要がある。後者は、様々な性質の流体を圧縮するために使用でき、かつ可動式であれ定置式であれ、いかなる種類の装置にも取り付けられる。しかしながらそれは、直接的又は間接的にシャーシに装着されることを目的とする、自動車両の空調回路内で冷媒を循環させることを特には目的とする。
【００１３】  本発明による前記電気圧縮装置は、図示しないコンプレッサと、コンプレッサを駆動する電気モータ又は機械３と、前記機械に取り付けられた電流変換装置５とを含む。前記変換装置５は、前記電気機械３が電力を供給され、かつ制御されることを可能にするように構成される。それは従って、モータの供給ユニットとして役立つ。
【００１４】  コンプレッサは、好適にはスクロールコンプレッサ又はベーンコンプレッサ又は実際にはピストンコンプレッサであり、これらの例は、純粋に例示的なものであり、かつ決して本発明の範囲を限定するものではない。前記電気機械３は、例えば三相電気モータである。前記変換装置５は、例えばインバータ、すなわち例えばバッテリによって送られる直流を交流に、特に三相交流に変換するために使用できる装置である。
【００１５】  コンプレッサは、圧縮部材が収容されるケーシングを含んでも良い。電気機械３は、前記電気機械のステータ３４及びロータ３２が収容されるケーシング３０を含む。前記ケーシングは、特に形状が円筒形であり、かつ中空である。それらは、前記コンプレッサのシャフト及び前記電気機械のロータによって共有される長手方向軸に沿って長手方向に伸長する。コンプレッサのケーシング及び／又は電気機械のケーシング３０は、例えばアルミニウム又はアルミニウム合金から作られる。
【００１６】  前記電気機械３は、好適には支持体、特には装備される車両のシャーシ、駆動モータ又はギヤボックスに装着されるように構成される。ステータ３２は、互いに角度的に間隔を置かれ、かつその間に切り欠き４０を有する歯３８を与えられた本体３６を含む。前記ステータ３２の本体３６は、例えば大量の金属シートを積層させることによって形成される。前記ステータ３２は、各歯３８の周りに置かれ、前記切り欠き４０を占める巻線４２を更に含む。前記巻線４２は、好適には（中性点がないため）三相三角形−三角形取付により互いに接続される（２つの接続タイプが含まれる必要がある）。
【００１７】  前記圧縮装置は、好ましくは冷媒が前記電気機械３を通過し、前記変換装置５と接触し、それらを冷却するように構成される。流体の通路は、好適には前記電気機械３と、コンプレッサ１との間に提供され得る。
【００１８】  前記変換装置５は、電気機械３に取り付けられるように構成された本体５０を含む。換言すると、変換装置の前記本体５０及び電気機械３の前記ケーシング３０は、互いに装着された２つの別個の部品である。
【００１９】  前記変換装置５は、この場合に前記電気機械３に片持ち梁のように取り付けられる。それは例えば、コンプレッサ及び／又は電気機械３のケーシングと特には同軸である、円筒形状を有する。
【００２０】  前記変換装置は、図示しない、前記本体５０内に収納された電流変換手段を特には含む。前記変換手段は、例えばプリント回路基板に取り付けられたトランジスタブリッジを含んでも良い。前記装置は、前記電気機械３に電力を供給する電気コネクタ５２、この場合に三相電源用の３つのコネクタを更に含む。それらは例えば、特に三角形の頂点に配置された実質的に真っ直ぐなロッドの形状の接続プラグである。
【００２１】  前記本体５０は好適には、特に鋳造によって製造された一体形アセンブリである。それは、前記変換手段の冷却を促進するように構成できる。
【００２２】  電気機械に電力を供給する電力網は、この場合に比較的低い電圧、例えば６０Ｖ未満を供給され、特にスパイク中の高アンペア数電流の使用を意味する。
【００２３】  本発明の一態様によれば、電気モータ３と、前記モータの供給ユニット５との間の電気接続装置６０が提供される。それは従って、前記電気モータ３と、前記供給ユニット５との間に位置する。
【００２４】  前記接続装置６０は、１つ以上の接続プラグ６２ａ、６２ｂ及び６２ｃを含み、この場合に３つ、すなわちモータの各相に１つを含むが、図１には１つのみの前記接続プラグ６２が示されている。前記接続プラグは、前記供給ユニット５からモータに供給する電流の循環を可能にすることを目的とする。それらは、各々が可撓性金属シートから形成される。更に、それらは、以下で極めて詳細に記載するように、各接続プラグ６２と、結合されたコネクタ５２との間の機械的接触及び電気接続による供給ユニットに対するモータのブラインド取付を可能にするように構成される。
【００２５】  図２及び３に示すように、前記装置は、モータの幾つもの巻線４２に電気的に接続されることを目的とする、１つ以上の導体６４ａ、６４ｂ及び６４ｃを含み、この場合に３つ、すなわちモータの各相に１つを含む。各接続プラグ６２ａ、６２ｂ及び６２ｃは、前記導体６４ａ、６４ｂ及び６４ｃの１つに電気的に接続される。前記導体６４ａ、６４ｂ及び６４ｃは、各々がバスバを形成する金属シートによって構成される。前記金属シートは、この場合にリング形状である。それは、長方形の断面を有しても良い。
【００２６】  前記接続プラグ６２ａ、６２ｂ及び６２ｃは、好適にはある導体６４ａ、６４ｂ及び６４ｃから次の導体まで角度オフセットされる。この場合にそれらは、９０°未満、又は実際には４５°未満、又は更には３０°未満の同じ角度区域内に位置する。
【００２７】  図１（又は図４）に更に明瞭に示すように、前記装置は、前記金属シートの断面の大きい側が、取付後に前記モータのロータ３２の長手方向軸に沿って配向されるように構成される。
【００２８】  同様に図１に示すように、前記導体６４ａ、６４ｂ及び６４ｃ及び前記接続プラグ（単数又は複数）は、この場合にロータ３２の一端を中心とする、王冠形状を有する単一のアセンブリを形成するために、電気絶縁材料６８によってオーバーモールドされる。
【００２９】  図４に示すように、前記装置は、前記導体６４ａ、６４ｂ及び６４ｃに電気的に接続されたピン６６を含んでも良い。前記ピン６６の各々は、モータ３の巻線４２の１つに接続されることを目的とする。前記ピン６６は、この場合にＬ字形であり、取付後に、Ｌのアームの一方は、径方向に配向され、かつＬのアームの他方は、モータ３のロータ３２の前記長手方向軸に沿って配向される。径方向アームは、導体６４ａ、６４ｂ及び６４ｃの１つに装着され、特に鑞付け及び／又は溶接され、しかるに他方のアームは、巻線４２の端部の１つに装着される。
【００３０】  モータは、この場合に１５本の巻線４２を含み、かつ所望の取付のために、各導体６４ａ、６４ｂ及び６４ｃは、前記ピン６６の１つによってモータ３の１０本の巻線４２に接続される。前記導体６４ａ、６４ｂ及び６４ｃは、例えば同心状に配置される。
【００３１】  各接続プラグ６２ａ、６２ｂ及び６２ｃは、供給ユニットの結合されたコネクタ５２ａ、５２ｂ及び５２ｃに接触する接触部７０と、前記接続装置及び前記供給ユニットの間に可撓性５を持って確立される機械的接触を提供するように構成された接続部７２とを含む。
【００３２】  前記接続部７２は、導体６４ａ、６４ｂ及び６４ｃに接続された径方向部と、前記径方向部及び前記接触部７０の間に位置する角度的に伸長する部分とを含む。前記接続部７２、特に前記角度的に伸長する部分は、その可撓性を向上させるＵ字形領域７４を含んでも良い。
【００３３】  前記接触部７０は、好ましくはバヨネット取付とも呼ばれる、回転運動がその後に続く並進運動での取付を可能にするように構成される。前記接触部７０は、前記モータのロータの長手方向軸に沿った並進運動において供給ユニットのコネクタ５２を係合するハウジング７５を含む。前記接触部は、前記コネクタ５２を固定するハウジング７６を更に含む。前記係合ハウジング７５及び前記固定ハウジング７６は、供給ユニットのコネクタ５２が、前記モータのロータの長手方向軸の周りの回転運動によって一方から他方に通過できるように、互いに連通する。
【００３４】  換言すると、前記係合ハウジング７５は、図２に示すように運動の第一段階中に並進運動において前記コネクタ５２ａ、５２ｂ及び５２ｃを案内し、次に矢印７８によって示す方向の回転によって、前記コネクタは、接続プラグ６２ａ、６２ｂ及び６２ｃの前記固定ハウジング７６にそれぞれ導入される。
【００３５】  前記係合ハウジング７５及び前記固定ハウジング７６は、この場合にそれぞれ接触部７０のオメガ形状により、前記オメガ形状の開口部及び底部により形成される。かかるオメガ形状は、前記接続プラグ６２ａ、６２ｂ及び６２ｃへのスナップ嵌合によってコネクタ５２ａ、５２ｂ及び５２ｃを固定することに役立つ。固定後、ここでは図示しないだぼが、モータのケーシング３０及び供給ユニットの本体５０の回転をロックするために使用でき、前記だぼは、前記開口部が互いに向き合う時、これら部品の各々の開口部に挿入される。
【００３６】  限られた角度空間の要件を可能にするために、接続プラグ６２ａ、６２ｂ及び６２ｃは、好適には、異なる角度配向を有する。この場合に、内部及び外部導体６４ａ及び６４ｃの接続プラグ６２ａ及び６２ｃは、逆時計回りと記載され得る方向に配向され、しかるに中間導体６２ｂの接続プラグ６２ｂは、時計回りと記載され得る方向に配向される。その上、前記接続プラグは、異なる形状を有しても良い。この場合に内部及び外部導体６４ａ及び６４ｃの接続プラグ６２ａ及び６２ｃは、同一に形成され、実質的に平坦な接続部７２が、Ｕ字形領域７４の両側に、その角度的に伸長する部分にあり、しかるに中間導体６４ｂの接続プラグ６２ｂは、異なる形状を有し、実質的に丸い接続部７５が、その角度的に伸長する部分にある。内部及び外部導体６４ａ及び６４ｃの２つの接続プラグの一方、この場合に外部プラグ６２ａは、前記２つのプラグの他方６２ｃと、第３のプラグ６２ｂとの間に角度的に置かれることが更に観察され得る。
【００３７】  図５に示すように、前記固定ハウジング７６は、前記供給ユニット５の結合されたコネクタ６４との多点接触を可能にするように構成された凹部領域８０を含む。前記凹部領域８０は、この場合に互いに実質的に９０°で配分される。
【００３８】  接触を更に促進するために、前記接続プラグの遠位端は、前記コネクタ５２ａ、５２ｂ及び５２ｃに沿って互いに間隔を置かれた歯８２を含んでも良い（図４を参照）。
【００３９】  図６に示すように、応用例として、前記接触部７０は、矢印８４によって示される前記モータのロータの長手方向軸に沿った並進運動によって確立される前記機械的接触を可能にするように構成される。換言すると、前記接触部７０は、前記コネクタ５２を案内もし、前記プラグ６２と接触することを確実にもする。
【００４０】  前記接触部７０は、前記接続ユニットのコネクタ５２と当接して接触することを目的とする端部８６を含む。前記接触部７０は、前記接続ユニットのコネクタ５２の側壁９０と接触することを目的とする１つ以上の側面８８も含む。前記側面８８は、前記接触部７０の湾曲領域に位置する。
【００４１】  特にこの形状において、コネクタ５２及び供給ユニット５は、好適には第１金属材料、例えば銅から作られたコア９２と、第２金属材料、例えば鋼鉄から作られたスキン９４とを含む。
【００４２】  これら２つの実施態様において、供給ユニット５に対するモータ３のブラインド取付が、取り外しと共に可能であることが理解される。更に、接触のために例えば銅合金から作られた金属シートから形成されるプラグを使用することは、限られた空間の要件を有しながら、良好なレベルの可撓性及び電流が通過できる有効な断面の両方を提供することに役立つ。与えられ得るＵ字形によって任意に強化される金属シートを使用することによって提供される耐振動性は、本発明のもう１つの利点である。
【符号の説明】
【００４３】３  電気モータ
５  供給ユニット
５２  コネクタ
６２  接続プラグ
【図１】
2018528741.tif 000003
【図２】
2018528741.tif 000004
【図３】
2018528741.tif 000005
【図４】
2018528741.tif 000006
【図５】
2018528741.tif 000007
【図６】
2018528741.tif 000008
【国際調査報告】
2018528741.tif 000009
2018528741.tif 000010
2018528741.tif 000011
2018528741.tif 000012
2018528741.tif 000013
2018528741.tif 000014